(57)【要約】【課題】排水性の良好な排水トラップ、特に早期にサイフォン現象をおこす排水トラップを提供する【解決手段】排水口と排水管との間に接続される排水トラップであって、前記排水口から流入した排水が流れる第一の下降流路と、前記第一の下降流路からの流水を貯水する貯水部と、前記貯水部の上端から溢れた排水が流入する第二の下降流路と、前記排水管と接続される排水管接続部を有し、前記第二の下降流路と前記排水管接続部は互いにその流路の中心が偏心して接続され、前記第二の下降流路の下部には、段部が設けられていることを特徴とする排水トラップを提供する。【選択図】図１
2011241593.tif 000002
【特許請求の範囲】
【請求項１】
排水口と排水管との間に接続される排水トラップであって、
前記排水口から流入した排水が流れる第一の下降流路と、
前記第一の下降流路からの流水を貯水する貯水部と、
前記貯水部の上端から溢れた排水が流入する第二の下降流路と、
前記排水管と接続される排水管接続部を有し、
前記第二の下降流路と前記排水管接続部は互いにその流路の中心が偏心して接続され、
前記第二の下降流路の下部には、段部が設けられていることを特徴とする排水トラップ
【請求項２】
前記第二の下降流路は、下方に向かって狭くなることを特徴とする請求項１に記載の排水トラップ
【発明の詳細な説明】
【技術分野】
【０００１】
本発明は、洗面台、キッチン等のキャビネットに設置される排水トラップに関するものである。 
【背景技術】
【０００２】
従来、洗面台やキッチンなどの排水口に接続される排水トラップとして、Ｓ字型の排水トラップが一般的に用いられている。（例えば特許文献１）
しかし、この種の排水トラップは、一度に大量の水が排水口に流入した場合、スームズに排水することが出来ず、トラップ内に流れ込むことができない排水が排水口の上流に止まってしまうという現象が発生していた。このため、排水口に設置したあみかご内のごみや、ヘアキャッチャーの髪の毛などが浮き上がってしまい、シンク内を汚してしまい、再度ごみを流すために水を流すさねばならず、多大な手間がかかっていた。
【０００３】
その他の排水トラップとして、所謂椀型トラップと呼ばれるものが存在する（例えば特許文献２）が、この場合であっても上記のような現象を防止するためには、トラップ自身の排水性能が求められる。
【０００４】
上記のような排水トラップにおいては、管内が排水で満たされることによって発生するサイフォン現象を利用して排水性能を向上させている。
このとき、排水作業において早期にサイフォン現象を発生させるためには、早く管内を排水で満たす必要がある。つまり、管径が小さくする必要がある。一方で、管径が大きいほど、一度に流れる排水量が増大するため、小さくしすぎるとかえって排水性能の低下を招くという問題があった。
【０００５】
【特許文献１】特開２００３−３２８４１８号公報（第９頁、図１３）
【発明の開示】
【発明が解決しようとする課題】
【０００６】
本発明は、上記問題を解決するためになされたもので、排水性の良好な排水トラップ、特に早期にサイフォン現象をおこす排水トラップを提供することを目的として発明されたものである。
【課題を解決するための手段】
【０００７】
上記問題を解決するために、請求項１に記載の発明よれば、排水口と排水管との間に接続される排水トラップであって、前記排水口から流入した排水が流れる第一の下降流路と、前記第一の下降流路からの流水を貯水する貯水部と、前記貯水部の上端から溢れた排水が流入する第二の下降流路と、前記排水管と接続される排水管接続部を有し、前記第二の下降流路と前記排水管接続部は互いにその流路の中心が偏心して接続され、前記第二の下降流路の下部には、段部が設けられていることを特徴とする排水トラップが提供される。
これによれば、第二の下降流路の下部に達した排水が、段部と衝突することにより、滞留・逆流することになる。これにより、通常の排水と比較して、早期に段部付近の第二の下降流路が排水で満たされ、サイフォン現象を起こすことが可能となる。
【０００８】
請求項３に記載の発明によれば、前記第二の下降流路は、下方に向かって狭くなることを特徴とする排水トラップが提供される。
これによれば、第二の下降流路が下方へ向かって狭くなることにより、排水が段部に衝突しやすくなる。これにより、サイフォン現象を早期に起こすことが可能となる。
【発明の効果】
【０００９】
本発明によれば、排水性の良好な排水トラップ、特に早期にサイフォン現象をおこす排水トラップを提供することが可能となる。
【図面の簡単な説明】
【００１０】
【図１】本発明の実施例における排水トラップＡの側面視断面図である。
【図２】本発明の実施例におけるフランジ４の上面図である。
【図３】実施例のクイックファスナー（２０）接続部の側面図である。
【図４】実施例のクイックファスナーである。
【図５】本発明の別の実施例における側面断面図である。
【発明を実施するための形態】
【００１１】
以下、図を参照しながら本発明の実施例について説明する。
図１に本発明の実施例における排水トラップＡをシンクの排水口Ｂに取り付けた状態の側面視断面図を示す。
シンクの排水口Ｂ内にはフランジ５が挿入されている。このフランジ５に対してロックナット３を用いて、トラップアウター１１が取り付けられる。また、このトラップアウター１１の内部にはトラップカップ１２が設けられている。本実施例において、トラップカップ１２はトラップアウター１１と別体で構成されているが、一体成形とすることも可能である。これ以降、トラップアウター１１とトラップカップ１２を合わせて、トラップ本体１と呼称する。
【００１２】
トラップアウター１１の下部には、図示していない排水管と接続するための排水管接続部１１１が設けられている。本実施例において排水トラップＡと排水管はネジによって接続される。そのため、排水管接続部１１１はその外周にネジがきってある。排水トラップＡと排水管の接続はどのような方法であってもよい。
また、トラップアウター１１の下部には段部１１２が設けられている。なお、このとき、トラップアウター１１の下部のうち、段部１１２が設けられていない部分は下方へ向かって径が拡大され、トラップアウター１１の上部と断面積が略同一となっていることが好ましい。
【００１３】
第一の実施例の排水トラップＡにおいて、略水平にフランジ５が接続されるように排水口Ｂが形成されている。
このフランジ５は従来から用いられているＳ字トラップの接続に使われているフランジと比較して特異な構造を有さないため、共通の部材を使用することが可能である。これにより、一般的な排水トラップとの互換が可能となり、フランジに汎用性をもたせることができる。
【００１４】
また、シンクの排水口Ｂに直接トラップアウター１１を接続することで、フランジ５を省略することも可能である。この場合、フランジ５と排水口Ｂの間に段差がなくなることで、排水口Ｂ周辺の清掃性が向上するという効果が得られる。
【００１５】
トラップ本体１には排水口Ｂを通じて、防臭筒４が挿入される。このとき、防臭筒４は接着などによる固定を行わず、着脱可能とされる。これにより、防臭筒を外した場合、市販のブラシ等を使用することによって、排水トラップ内をシンク内から清掃することができ、排水トラップ内の清掃のたびにキャビネット内の収納物を外に出す必要がない。
【００１６】
また、防臭筒４はフランジ５に着脱可能に設置され、且つ、トラップカップ１２とトラップアウター１１の間には隙間が設けられている。これにより、防臭筒４を外した場合、高圧洗浄をシンク内から行うことができ、高圧洗浄のたびにキャビネット内の収納物を外に出す必要がない。
【００１７】
第一の実施例の排水トラップＡにおいて、防臭筒４内部に第一の下降流路２１が形成されている。また、防臭筒４とトラップカップ１２の間の空間が貯水部２２として機能する。さらに、トラップカップ１２とトラップアウター１１の間の空間が第二の下降流路２３となっている。
【００１８】
第一の実施例の排水トラップＡにおいて、トラップアウター１１は排水口Ｂから下方奥側へ傾斜し、それに伴い、防臭筒４も下方奥側へ傾斜している。これにより排水トラップＡ手前に空間が確保され、キャビネット内の収納スペースを有効に活用することができる。
【００１９】
第一の実施例の排水トラップＡにおいて、防臭筒４は排水口Ｂ内に露出する位置につまみ４１を有する。これにより、排水トラップ内のぬめった箇所に触れることなく防臭筒４を上方に引き出すことが可能となる。また、装着する際にもつまみ４１をもって排水口Ｂに取り付けられたフランジ５内に挿入することが可能となる。
【００２０】
第一の実施例の排水トラップＡにおいて、防臭筒４とフランジ５の当接部分には、Ｏ−リングシール４２が設置されている。これにより、防臭筒４の外周からトラップアウター１１内部の汚臭などが漏れ出すことを防止することが出来る。
【００２１】
図２に第一の実施例の排水トラップＡをシンクＢに取り付けた状態を、図１におけるＣ方向から見た様子を示す。
トラップアウター１１はその下方、つまり、排水の進行方向にむかって狭くなるように構成されている。また、その下部には段部１１１が設けられている。
【００２２】
図３に本発明の実施例におけるフランジ５とロックナット３、トラップアウター１１の接続部分の拡大図を示す。
フランジ５はその下部からロックナット３によって、排水口Ｂに固定されている。
また、ロックナット３とトラップアウター１１はクイックファスナー５を解して接続されている。ロックナット３はその下部に、トラップアウター１１はその上部に、それぞれ鍔部を有しており、クイックファスナー５はその鍔部を挟み込むことで両者を接続している。このとき、ロックナット３とトラップアウター１１は相互に回転可能な状態で接続されているため、施工時にクイックファスナー５によって接続した後であっても排水トラップ本体１を回転させて方向調整を行うことが可能となる。
また、ロックナット３にフランジ５の固定と、排水トラップ本体１との接続という二つの機能を持たせることで、部材数を減じ、よりコンパクトな排水トラップＡとすることができ、キャビネット内の収納スペースの増大に有効に寄与する。
【００２３】
図４に、本発明の第一の実施例における排水の流れをあらわした模式図を示す。図４において、矢印付点線で示したものが排水の流れを表している。
シンクＢの排水口から流入する排水は、まず第一の下降流路２１を流れて、貯水部２２へと流れ込む。通常、貯水部２２の内部には前回流入した排水の一部が滞留している状態であり、新たに排水が流れ込むことによって、貯水部２２の上端から排水があふれ出すことになる。
【００２４】
このとき、あふれ出した排水は第二の下降流路２３へと流れ込む。このとき、第二の下降流路２３は排水の進行方向へ向かって狭くなるように形成されているため、排水は第二の下降流路２３の下部に存在する段部１１２へ向かって集まるようにして流れる。
第二の下降流路２３の下部へ流入した排水の一部はそのまま、偏心して接続されている排水管接続部１１１へ流れ込むが、一部の排水は段部１１２へ衝突し、滞留、あるいは逆流することになる。これにより、段部１１２付近の第二の下降流路２３は排水によって満たされることになり、サイフォン現象が引き起こされる。
なお、排水の流入が止まると、貯水部２２の上端を越えることができない排水が、貯水部２２の内部に滞留する。この排水によって、排水管内の雰囲気が排水トラップＡを通じて上流側へ逆流することを防止することが可能となる。
【００２５】
図５に本発明の別の実施例における排水トラップＡをシンクの排水口Ｂに取り付けた状態の側面視断面図を示す。なお、既に説明した実施例と同じ部材には同一の符号を付し、説明を省略する。
この実施例においては、シンクに対して排水口Ｂを別体として構成している。この排水口Ｂはフランジ５と一体的に構成されている。当然ながら排水口Ｂとフランジ５を接続するためのロックナット３は必要でないため、省略されている。また、排水トラップ本体１（トラップアウター１１）はフランジ５とクイックファスナー５を用いて接続されている。
このように構成することにより、フランジ５周辺部分に汚物が溜まることを防止することが可能であると共に、さらに部材点数を削減することが可能となる。
【００２６】
以上、具体的な実施例を用いて本発明について説明を行ったが、本発明は上記のような具体例に限定されるものではない。本発明を逸脱しない範囲において、材質や形状などを適宜設計することが可能である。
例えば、トラップカップ１２とトラップアウター１１を一体的に成型し、部品点数を削減してもよい。また、防臭筒４とフランジ５の当接部分に取り付けられるＯ−リングシール４２を上下二箇所とし、防臭筒４のがたつきをさらに低減させるように設計してもよい。
【符号の説明】
【００２７】
Ａ  排水トラップ
Ｂ    排水口
１    排水トラップ本体
１１  トラップアウター
１１２  段部
１２  トラップカップ
３    ロックナット
４    防臭筒
４１  直線部
４２  傾斜部
４１  つまみ
４２    Ｏリングシール
５    フランジ
６    クイックファスナー
【図１】
2011241593.tif 000003
【図２】
2011241593.tif 000004
【図３】
2011241593.tif 000005
【図４】
2011241593.tif 000006
【図５】
2011241593.tif 000007